(57)【要約】【課題】集塵性能を低下させずに風量を可変できる空気清浄機及びその制御方法を提供する。また、各サイクロンの内部を通過する空気の流速を基準値以下に低下させずに、所定の集塵性能を安定的に発揮できる空気清浄機及びその制御方法を提供する。【解決手段】本体１０と、該本体１０の内部に設置されるファン２２と、該ファン２２の回転時に旋回気流を形成し、空気中の異物質を分離する複数のサイクロン１００と、該複数のサイクロン１００のうち少なくとも一つのサイクロンを開閉するための少なくとも一つの開閉ユニット２００と、を含んで空気清浄機を構成する。【選択図】図２
2008036621.tif 000002
【特許請求の範囲】
【請求項１】
本体と、
該本体の内部に設置されるファンと、
該ファンの回転時に旋回気流を形成し、空気中の異物質を分離する複数のサイクロンと、
該複数のサイクロンのうち少なくとも一つのサイクロンを開閉するための少なくとも一つの開閉ユニットと、を含むことを特徴とする空気清浄機。
【請求項２】
前記複数のサイクロンは、前記ファンの下部に並列に配置されることを特徴とする請求項１に記載の空気清浄機。
【請求項３】
前記開閉ユニットは、前記複数のサイクロンのうち少なくとも一つに設置されるバルブ部材と、該バルブ部材を駆動させるためのモータと、を含むことを特徴とする請求項１に記載の空気清浄機。
【請求項４】
前記複数のサイクロンは、異物質の分離過程を終えた空気が通過する流出管を有し、前記バルブ部材は、前記流出管に設置されることを特徴とする請求項３に記載の空気清浄機。
【請求項５】
前記複数のサイクロンは、開放型サイクロンを含むことを特徴とする請求項１に記載の空気清浄機。
【請求項６】
前記ファンは、遠心ファンであり、前記開放型サイクロンは、前記ファンの吸入側中央部に対応して設置されることを特徴とする請求項５に記載の空気清浄機。
【請求項７】
前記サイクロン内部の流速を測定するために、前記複数のサイクロンのうち少なくとも一つに設置される流速計をさらに含むことを特徴とする請求項１に記載の空気清浄機。
【請求項８】
前記複数のサイクロンは、開放型サイクロンを含み、前記流速計は、前記開放型サイクロンに設置されることを特徴とする請求項７に記載の空気清浄機。
【請求項９】
使用者が所望する風量によって回転数が可変されるファンと、
該ファンに連通される複数のサイクロンと、
前記ファンの回転数によって各サイクロンの開閉状態を制御し、前記ファンによって発生した気流が前記複数のサイクロンを全て通過する第１モードと、前記ファンによって発生した気流が前記複数のサイクロンのうち一部のみを通過する第２モードを行う制御部と、を含むことを特徴とする空気清浄機。
【請求項１０】
サイクロン内部の流速を測定するために、前記複数のサイクロンのうち少なくとも一つに設置される流速計をさらに含み、該流速計によって測定される流速が基準値未満である場合、前記制御部は、前記開放された一部のサイクロンのうち少なくとも一つを閉鎖する第３モードを行うことを特徴とする請求項９に記載の空気清浄機。
【請求項１１】
回転数が可変されるファンと、該ファンに連通される複数のサイクロンと、を含む空気清浄機の制御方法において、
使用者が所望する風量を設定する段階と、
使用者が所望する風量によって前記複数のサイクロンを開閉させる段階と、
使用者が所望する風量によって所定の回転数で前記ファンを駆動させる段階と、を含むことを特徴とする空気清浄機の制御方法。
【請求項１２】
前記複数のサイクロンのうち何れか一つのサイクロンで流速を測定する段階と、測定された流速と基準値とを比較し、測定された流速が基準値未満である場合、開放されたサイクロンのうち少なくとも一つを閉鎖させる段階と、をさらに含むことを特徴とする請求項１１に記載の空気清浄機の制御方法。
【請求項１３】
空気中の異物質を除去するために気流を生成する複数のサイクロンと、
前記気流の特性によって、前記複数のサイクロンのうち少なくとも一つのサイクロンの気流を選択的に防止する開閉ユニットと、を含むことを特徴とする空気清浄機。
【請求項１４】
前記複数のサイクロンの気流を強制的に制御するファンをさらに含み、
前記ファンの回転速度は、前記気流の特性によって可変されることを特徴とする請求項１３に記載の空気清浄機。
【請求項１５】
前記気流の特性を測定するために、前記各サイクロンのうち何れか一つに装着される測定ユニットをさらに含むことを特徴とする請求項１３に記載の空気清浄機。
【請求項１６】
前記測定ユニットは、熱線流速計を含むことを特徴とする請求項１５に記載の空気清浄機。
【請求項１７】
前記気流の特性は、前記気流の速度を含むことを特徴とする請求項１３に記載の空気清浄機。
【請求項１８】
前記開閉ユニットは、前記各サイクロンに対応する複数のバルブ部材と、前記気流を選択的に防止するために前記バルブ部材を駆動する駆動部と、を含むことを特徴とする請求項１３に記載の空気清浄機。
【請求項１９】
前記バルブ部材は、前記各サイクロンの出口に配置されることを特徴とする請求項１８に記載の空気清浄機。
【請求項２０】
前記各サイクロンは、入口、排出ホール及び出口を含み、前記開閉ユニットは、前記出口に配置されることを特徴とする請求項１３に記載の空気清浄機。
【請求項２１】
前記気流を防止するために第１数のサイクロンと第２数のサイクロンが決定される複数のモードで、前記開閉ユニットを制御する制御部をさらに含むことを特徴とする請求項１３に記載の空気清浄機。
【発明の詳細な説明】
【技術分野】
【０００１】
本発明は、空気清浄機に関するもので、特に、遠心力を用いて空気中の異物質を分離するサイクロンを備えた空気清浄機に関するものである。
【背景技術】
【０００２】
空気清浄機は、空気中の汚染物質を除去し、浄化した空気を提供するための装置であり、一般的に、室内空気を強制循環させるためのファンと、空気中の異物質を収集するための集塵装置と、を含んで構成される。
【０００３】
最近、集塵装置としてサイクロンを用いる空気清浄機（以下、‘サイクロン空気清浄機'という）が開発されている。ここで、サイクロンは、流体の旋回流（ｖｏｒｔｅｘ  ｆｌｏｗ）によって生じる遠心力を用いて流体中の固体粒子などを分離する装置である。
【０００４】
上記のような従来のサイクロン空気清浄機の例は、特許文献１に開示されている。開示されたサイクロン空気清浄機は、外観をなすケースと、該ケースの内側上端に設置されるファンと、空気中の異物質を分離するためにファンの下部に並列配置される複数（例えば１２個）のサイクロンと、該各サイクロンの下部に配置される集塵タンクと、サイクロンを通過した空気中の残余粉塵を除去するためのフィルタと、を含んで構成される。
【０００５】
したがって、ファンが回転すると、室内空気がサイクロンの内部に流入する。その後、流入した空気中の異物質は、サイクロンの内部で遠心力によって分離された後、集塵タンクに収集される。異物質が分離された空気は、サイクロンの外部に排出されてフィルタを通過する。そして、フィルタを通過しながら空気中の残余粉塵が除去された後、浄化した空気が室内に吐出される。
【特許文献１】大韓民国登録特許第５２７３５８号明細書
【発明の開示】
【発明が解決しようとする課題】
【０００６】
しかしながら、上記のように構成された従来のサイクロン空気清浄機においては、風量を可変させるためにファンの回転数を減少させる場合、サイクロンの集塵性能が低下するという問題点があった。例えば、空気が通過する各サイクロンの断面積が一定であるため、ファンが比較的低い速度（１２００ｒｐｍ）で回転するときに各サイクロンの内部を通過する空気の流速は、ファンが比較的高い速度（２０００ｒｐｍ）で回転するときの流速より低くなる。このように、ファンの回転数が減少することで、サイクロンの内部を通過する空気の流速が低下すると、遠心力を用いるサイクロンの運転特性上、サイクロンの集塵性能も低下してしまう。
【０００７】
さらに、従来の空気清浄機は、ある原因（濾過後にフィルタに残存する異物質、または、空気清浄機の吸入口や吐出口の障害物によって流動抵抗が増加する場合）によって、各サイクロンの内部を通過する空気の流速が、所定の最低集塵性能を確保するのに要求される基準値以下に減少する場合も、これに対応する手段が備わってないので、集塵性能及び動作信頼度を確実に保障できないという問題点があった。
【０００８】
本発明は、上記の問題点を解決するためのもので、その目的は、集塵性能を低下させずに風量を可変できる空気清浄機及びその制御方法を提供することにある。
【０００９】
本発明の他の目的は、各サイクロンの内部を通過する空気の流速を基準値以下に低下させずに、所定の集塵性能を安定的に発揮できる空気清浄機及びその制御方法を提供することにある。
【課題を解決するための手段】
【００１０】
上記の目的を達成するための本発明に係る空気清浄機は、本体と、該本体の内部に設置されるファンと、該ファンの回転時に旋回気流を形成し、空気中の異物質を分離する複数のサイクロンと、該複数のサイクロンのうち少なくとも一つのサイクロンを開閉するための少なくとも一つの開閉ユニットと、を含むことを特徴とする。
【００１１】
前記複数のサイクロンは、前記ファンの下部に並列に配置される。
【００１２】
前記開閉ユニットは、前記複数のサイクロンのうち少なくとも一つに設置されるバルブ部材と、該バルブ部材を駆動させるためのモータと、を含んで構成される。
【００１３】
前記複数のサイクロンは、異物質の分離過程を終えた空気が通過する流出管を有し、前記バルブ部材は、前記流出管に設置される。
【００１４】
前記複数のサイクロンは、開放型サイクロンを含む。
【００１５】
前記ファンは、遠心ファンであり、前記開放型サイクロンは、前記ファンの吸入側中央部に対応して設置されることが好ましい。
【００１６】
また、本発明に係る空気清浄機は、前記サイクロン内部の流速を測定するために、前記複数のサイクロンのうち少なくとも一つに設置される流速計をさらに含む。このとき、前記流速計は、前記開放型サイクロンに設置されることが好ましい。
【００１７】
また、本発明に係る空気清浄機は、使用者が所望する風量によって回転数が可変されるファンと、該ファンに連通される複数のサイクロンと、前記ファンの回転数によって各サイクロンの開閉状態を制御し、前記ファンによって発生した気流が前記複数のサイクロンを全て通過する第１モードと、前記ファンによって発生した気流が前記複数のサイクロンのうち一部のみを通過する第２モードを行う制御部と、を含むことを特徴とする。
【００１８】
このとき、サイクロン内部の流速を測定するために、前記複数のサイクロンのうち少なくとも一つに設置される流速計をさらに含み、該流速計によって測定される流速が基準値未満である場合、前記制御部は、前記開放された一部のサイクロンのうち少なくとも一つを閉鎖する第３モードを行う。
【００１９】
また、本発明に係る空気清浄機の制御方法は、回転数が可変されるファンと、該ファンに連通される複数のサイクロンと、を含む空気清浄機の制御方法において、使用者が所望する風量を設定する段階と、使用者が所望する風量によって前記複数のサイクロンを開閉させる段階と、使用者が所望する風量によって所定の回転数で前記ファンを駆動させる段階と、を含むことを特徴とする。
【００２０】
このとき、前記複数のサイクロンのうち何れか一つのサイクロンで流速を測定する段階と、測定された流速と基準値とを比較し、測定された流速が基準値未満である場合、開放されたサイクロンのうち少なくとも一つを閉鎖させる段階と、をさらに含む。
【発明の効果】
【００２１】
本発明に係る空気清浄機は、選択された風量によって集塵動作を行うサイクロンの数を変更（自動的に調整）することで、風量を減少させる場合も、集塵性能を安定的に維持できるという効果がある。
【００２２】
また、本発明に係る空気清浄機は、サイクロン内部の流速を測定し、その結果に対応して集塵動作を行うサイクロンの数を変更することで、各サイクロン内部の流速が低下する現象が発生しても、所定の集塵性能を安定的に発揮できるという効果がある。
【発明を実施するための最良の形態】
【００２３】
以下、本発明の好適な実施の形態を、添付の図面に基づいて詳しく説明する。図１は、本発明に係る空気清浄機の外観を示す斜視図で、図２は、図１に示した空気清浄機の構成要素を示す分解斜視図で、図３は、図２に示した空気清浄機における二つの区画板、吸入グリル及びサイクロンを示す分解斜視図である。
【００２４】
図１及び図２に示すように、本発明に係る空気清浄機は、外観をなす本体１０と、空気を強制循環させるために本体１０の内側上部に設置される送風装置２０と、該送風装置２０の下部に並列配置され、送風装置２０の駆動時に旋回気流を形成して空気中の異物質を分離する複数のサイクロン１００と、空気清浄機の全体的な動作を制御するための制御部３０と、を含んで構成される。
【００２５】
本体１０は、空気吸入口１１及び空気吐出口１２を備えており、本体１０の上側には、空気清浄機の運転モードを選択するための選択ボタン１３と、空気清浄機の動作状態を表示するためのディスプレイ１４と、が備わる。また、本体１０の下部には、集塵容器４０が着脱可能に設置され、この集塵容器４０には、各サイクロン１００を通過しながら空気から分離される異物質が収集・保存される。
【００２６】
送風装置２０は、ファンモータ２１と、該ファンモータ２１に連結されるファン２２と、を含んで構成される。ファンモータ２１は、ファン２２の回転速度を可変（調整）させ、ファン２２には、空気を軸方向に吸入して（空気吸入口１１からサイクロン１００を通して）、半径方向に排出する（空気吐出口１２を通して）遠心ファンが適用され、ファン２２の吸入側は、各サイクロン１００の流出管１０３（図３を参照）と連通される。
【００２７】
図２及び図３に示すように、ファン２２の下部には、二つの区画板５１，５２が配置される。二つの区画板５１，５２は、それらの間に介在される支持部材５３によって所定間隔を維持する。以下、二つの区画板５１，５２のうち、上側に位置する区画板を第１区画板５１といい、下側に位置する区画板を第２区画板５２という。
【００２８】
第１区画板５１と第２区画板５２との間には、空気吸入口１１を通して吸入された空気を集める（加圧する）ための吸入空間６０が形成され、この吸入空間６０には、吸入グリル６１が円周方向に設置される。また、第１区画板５１とファン２２との間には、各サイクロン１００から排出される空気を集めるための吐出空間７０が形成され、この吐出空間７０には、各サイクロン１００から排出される空気をファン２２の吸入側に案内するための吐出ダクト７１が設置される。
【００２９】
吐出空間７０は、各サイクロン１００の流出口１０３ａに連通され、吸入空間６０は、各サイクロン１００の流入口１０１ａに連通される。このために、第１区画板５１及び第２区画板５２には、第１連通ホール５１ａ及び第２連通ホール５２ａが形成される。
【００３０】
一方、吐出ダクト７１内には、フィルタ７３が配置され、このフィルタ７３は、吐出空間７０を経由して各サイクロン１００からフィルタ７３に流動する空気中の残余粉塵を除去する。
【００３１】
図４は、本発明に係る空気清浄機における流速計が設置されたサイクロンを示す斜視図で、図５は、本発明に係る空気清浄機における開閉型サイクロン及び開閉ユニットを示す部分断面図である。
【００３２】
図２〜図４に示すように、複数のサイクロン１００は、ファン２２の下部に並列に配置され、円状支持板１０４が本質的に同一平面に置かれるように埋め込まれる。各サイクロン１００は、サイクロンの内部に流入した空気を下方に誘導し、旋回流パターンを形成する円筒部１０１と、該円筒部１０１の下部から延長され、下方旋回流の遠心力を一層増幅させる円錐部１０２と、サイクロンの中心部で上昇する空気の流出を案内する（流入口１０１ａから円錐部１０２へと下方に誘導した後）流出管１０３と、を備えている。このとき、円筒部１０１の上端には、吸入空間６０から円筒部１０１に空気を流動させるための流入口１０１ａが形成され、円錐部１０２の下端には、遠心力によって分離された異物質を集塵容器４０に排出させるための排出口１０２ａが形成され、流出管１０３の上端には、異物質が分離された空気を吐出空間７０に排出させるための流出口１０３ａが形成される。
【００３３】
流出口１０３ａと隣接した流出管１０３の外周には、円状支持板１０４が形成される。この円状支持板１０４は、図５に示すように、サイクロン１００が第１区画板５１によって支持されるように第１区画板５１に係合され、第１区画板５１の第１連通ホール５１ａと流出管１０３との間の隙間に装着されることで、空気が吸入空間６０から吐出空間７０に漏れることを防止する。
【００３４】
円筒部１０１の内面と前記流出管１０３の外面との間には、二つの螺旋状羽根１０５が形成される。二つの螺旋状羽根１０５、流出管１０３の外面及び円筒部１０１の内面によって、円筒部１０１の内部に流入した空気の旋回流を、流入口１０１ａを経由して円筒部１０１の内部に案内する旋回流路１０６が定義される。図３及び図４には、螺旋状羽根１０５が二つである場合を示したが、その個数は変更可能である。
【００３５】
螺旋状羽根１０５は、流出管１０３と一体に形成され、流出管１０３と一緒に円筒部１０１に挿入される。例えば、螺旋状羽根１０５を円筒部１０１に圧入することもでき、円筒部１０１の内面に螺旋状羽根１０５に対応する溝を形成し、螺旋状羽根１０５を前記円筒部１０１の溝にねじ結合することもできる。
【００３６】
本発明において、複数のサイクロン１００は、ファン２２の回転数と関係なしに常に開放状態の開放型サイクロン１１０と、ファン２２の回転数に応じて開閉ユニット２００によって開閉される開閉型サイクロン１２０と、を含んで構成される。
【００３７】
風量を変更するためにファン２２の回転数を減少させるとき、開閉型サイクロン１２０のうち適正な数のサイクロンを閉鎖し、ファン２２によって発生した気流を一部の開放されたサイクロンのみに通過させることで、空気清浄機の集塵性能低下を防止できる。すなわち、ファン２２の回転数が比較的大きいときは、多数のサイクロンを開放し、ファン２２の回転数が比較的小さいときは、少数のサイクロンを開放する。その結果、ファン２２の回転数に応じてサイクロンの内部を通過する空気の流動断面積が調整されることで、サイクロンの内部を通過する流速が実質的に一定に維持されるので、所定の集塵性能を維持することができる。
【００３８】
一方、図２及び図３には、空気清浄機に１個の開放型サイクロン及び６個の開閉型サイクロンが備わる場合を示したが、開放型サイクロンと開閉型サイクロンの数は、必要に応じて適宜変更される。
【００３９】
図３及び図５に示すように、開閉ユニット２００は、開閉型サイクロン１２０の流出管１０３の流出口１０３ａに配置され、流出口１０３ａを開閉するバルブ部材２１０と、該バルブ部材２１０を所定角度（開閉位置の間で９０°）回転するために第１区画板５１に装着されるステッピングモータ２２０と、を含んで構成される。図３及び図５に示すように、バルブ部材２１０を独立的に回転するために、各バルブ部材２１０に対応する数だけのステッピングモータ２２０が備わる。しかし、その構成は、カップリングやジョイントを用いて一つのステッピングモータが二つ以上のバルブ部材を回転するように変更することもできる。
【００４０】
図２及び図３に示すように、開放型サイクロン１１０は、ファン２２の中央部に対応して配置され、開閉型サイクロン１２０は、開放型サイクロン１１０の円周方向に配置される。このような構造は、軸方向に空気を吸入する遠心ファン２２の送風特性を考慮したものである。上記のように、開放型サイクロン１１０をファン２２の中央部に対応して位置させると、開閉型サイクロン１２０を全て閉鎖させ、中央部に配置された開放型サイクロン１１０のみを通して空気を通過させる場合、ファン２２の最大吸入力が開放型サイクロン１１０に一層効果的に伝達されるので、開放型サイクロン１１０の集塵性能が最大化される。
【００４１】
一方、図４に示すように、開放型サイクロン１１０には、その内部を通過する空気の流速を測定するための流速計３００が設置される。流速計３００は、各サイクロンの最低限の集塵性能を維持するためのものである。すなわち、空気清浄機の運転中、流速計３００によって測定された流速が、所定の集塵性能を提供するのに必要な基準値以下であるとき、開放された開閉型サイクロンのうち適正な数のサイクロンを閉鎖させ、集塵動作を行うサイクロンの数を減少させることで、所定の最低限の集塵性能を維持することができる。
【００４２】
図４には、電熱線３１０を含む熱線流速計が適用されたが、その他にも、多様な形態の流速計が適用される。熱線流速計は、電熱線３１０に流体の流動が当接するとき、電熱線３１０の温度変化を電気抵抗の変化に変形することで流速を測定する。
【００４３】
制御部３０には、空気清浄機の運転状況に関するデータが保存される。このデータは、使用者によって選択される運転モード（流速）に対するファン２２の回転数と、開閉型サイクロン１２０のうち閉鎖されるべきサイクロンの数と、を含む。例えば、図２及び図３に示すように、１個の開放型サイクロンと６個の開閉型サイクロンが空気清浄機に備わる場合、次の表１のようなデータが制御部３０に保存される。
【００４４】
【表１】
2008036621.tif 000003
【００４５】
以下、図２、図３、図６、図７及び表１に基づいて、本発明に係る空気清浄機の動作及び制御方法を説明する。図６は、本発明に係る空気清浄機を示すブロック図で、図７は、本発明の一実施形態に係る空気清浄機の制御方法を説明するためのフローチャートである。
【００４６】
図２、図３、図６、図７に示すように、制御部３０は、使用者が選択ボタン１３を通して選択した特定の運転モード（使用者が所望する風量）に設定される（Ｓ４１０）。制御部３０は、 選択された使用者所望の風量に基づいて開閉ユニット２００のステッピングモータ２２０を制御し、開閉型サイクロン１２０のうち一部のサイクロンを閉鎖させる（Ｓ４２０）。次いで、制御部３０は、送風装置２０のファンモータ２１を制御し、ファン２２を所定の回転数で回転させる（Ｓ４３０）。例えば、表１のデータが制御部３０に予め保存されているとき、使用者が“強”の運転モードを選択した場合、制御部３０は、二つの開閉型サイクロン１２０を閉鎖させ、４個の開閉型サイクロン１２０を開放させる。また、制御部３０は、ファン２２を１８００ｒｐｍで回転させる。
【００４７】
上記のようにファン２２が所定の回転数（例えば１８００ｒｐｍ）で回転すると、室内空気は、吸入空間６０に吸入され、開放された各サイクロンの流入口１０１ａを通してサイクロンの円筒部１０１に流入する。すなわち、上記のような“強”の運転モードでは、開放された４個の開閉型サイクロンと、１個の開放型サイクロンのみに空気が流入する。開放型サイクロンの円筒部１０１に流入した空気は、螺旋状羽根１０５によって形成される旋回流路１０６に沿って流動しながら旋回気流を形成する。空気は、円筒部１０１から円錐部１０２に流動し、円錐部（図２、図３、図４に示すように、円錐の直径が漸次減少する）で旋回流の回転速度が増幅することで、空気中の異物質は、旋回流によって生成された遠心力によって分離され、円錐部１０２下端の排出口１０２ａを通して集塵容器４０に集められる。一方、サイクロン１００の中心部では、異物質の分離過程を終えた空気が反転上昇し、流出管１０３、流出口１０３ａを通して吐出空間７０に排出される。吐出空間７０への空気の上方吸入は、ファン２２の回転によって促進される。吐出空間７０に排出された空気は、吐出ダクト７１を通過しながらフィルタ７３によってフィルタリングされ、最終的に、ファン２２と吐出口１２の隙間を通して室内に排出される。
【００４８】
上記のような集塵過程で、開放型サイクロン１１０に設置された流速計３００は、サイクロン１１０内部の流速を測定するために用いられる。流速計３００は、測定された流速値を制御部３０に伝送する（Ｓ４４０）。制御部３０は、測定された流速Ｖｍと基準値Ｖｓとを比較し（Ｓ４５０）、その比較結果、測定された流速Ｖｍが基準値Ｖｓ未満である場合（Ｖｍ＜Ｖｓ）、開閉型サイクロンのうち開放されたサイクロンがあるかどうかを判断する（Ｓ４６０）。ここで、基準値Ｖｓは、所定の最低限の集塵性能（例えば、表１の“強”）を発揮するのに要求されるサイクロン内部の流速である。
【００４９】
制御部３０によって開放型サイクロンのうち開放されたサイクロンがあると判断された場合、制御部３０は、ステッピングモータ２２０を制御し、開放型サイクロンの開放されたサイクロンのうち一つを閉鎖させる（Ｓ４７０）。このように、開放型サイクロンのうち一つの開放されたサイクロンを閉鎖させた後も、測定された流速Ｖｍが基準値Ｖｓ未満（Ｖｍ＜Ｖｓ）である場合、制御部３０は、測定された流速Ｖｍが基準値Ｖｓ以上になるまで、開閉型サイクロンの開放されたサイクロンを順次閉鎖させる。上記方法では、開放されたサイクロンを順次閉鎖しているが、制御部は、一対、所定またはプログラム方式で開放されたサイクロンを閉鎖することもある。
【００５０】
一方、測定された流速Ｖｍが基準値Ｖｓ未満（Ｖｍ＜Ｖｓ）であっても、開閉型サイクロンのうち開放されたサイクロンがないと判断される場合、制御部３０は、空気清浄機を制御して集塵運転を継続的に行う。
【図面の簡単な説明】
【００５１】
【図１】本発明に係る空気清浄機の外観を示す斜視図である。
【図２】図１に示した空気清浄機の構成要素を示す分解斜視図である。
【図３】図２に示した空気清浄機における二つの区画板、吸入グリル及びサイクロンを示す分解斜視図である。
【図４】本発明に係る空気清浄機における流速計が設置されたサイクロンを示す斜視図である。
【図５】本発明に係る空気清浄機における開閉型サイクロン及び開閉ユニットを示す部分断面図である。
【図６】本発明に係る空気清浄機を示すブロック図である。
【図７】本発明に係る空気清浄機の制御方法を説明するためのフローチャートである。
【符号の説明】
【００５２】
１０  本体
１３  選択ボタン
２１  ファンモータ
２２  ファン
３０  制御部
４０  集塵容器
１００  サイクロン
１０１  円筒部
１０２  円錐部
１０３  流出管
１０４  円状支持板
１０５  螺旋状羽根
１１０  開放型サイクロン
１２０  開閉型サイクロン
２００  開閉ユニット
２１０  バルブ部材
２２０  ステッピングモータ
３００  流速計
【図１】
2008036621.tif 000004
【図２】
2008036621.tif 000005
【図３】
2008036621.tif 000006
【図４】
2008036621.tif 000007
【図５】
2008036621.tif 000008
【図６】
2008036621.tif 000009
【図７】
2008036621.tif 000010